(57)【要約】      （修正有）【課題】背後などから近づいてくる不審者の注意力を別のものに向けさせてその行動を抑止可能とする。【解決手段】携帯型の防犯警報装置１０は、記憶部２６に例えば蚊の羽音などの忌避音を予め記憶し、警戒設定スイッチ１４による所定の警報設定操作を行った場合、制御部２４は記憶部２６から読出した蚊の羽音などの忌避音を再生部２８で再生してスピーカ３０から繰り返し出力させ、近づいてくる不審者の注意を逸らす。制御部２４は、再生音量及び休止時間をランダムに変化させながら忌避音を繰り返し出力させ、忌避音を例えば蚊の羽音とした場合に自然な感じを出すようにする。【選択図】図２
2014102777.tif 000002
【特許請求の範囲】
【請求項１】
携帯型の防犯警報装置に於いて、
所定の忌避音を予め記憶した記憶部と、
所定の警戒設定操作を行った場合、前記記憶部から読出した忌避音を繰り返し出力させる制御部と、
を備えたことを特徴とする防犯警報装置。
【請求項２】
携帯電話機を用いた防犯警報装置に於いて、
所定の忌避音を予め記憶した記憶部と、
所定の警戒設定操作を行った場合、前記記憶部から読出した忌避音を繰り返し出力させる制御部と、
を備えたことを特徴とする防犯警報装置。
【請求項３】
請求項１又は２記載の防犯警報装置に於いて、前記制御部は前記記憶部から読み出した忌避音を、所定の休止時間を置いて繰り返し出力させることを特徴とする防犯警報装置。
【請求項４】
請求項３記載の防犯警報装置に於いて、前記制御部は、前記忌避音の再生音量及び前記休止時間をランダムに変化させながら、前記忌避音を繰り返し出力させることを特徴とする防犯警報装置。
【請求項５】
請求項１又は２記載の防犯警報装置に於いて、前記記憶部に忌避音として、時間的に強さが変化する昆虫の羽音又は鳥の羽音の忌避音を記憶したことを特徴とする防犯警報装置。
【請求項６】
請求項５記載の防犯警報装置に於いて、前記昆虫の羽音として蚊又は蜂の羽音の忌避音を記憶したことを特徴とする防犯警報装置。
【請求項７】
請求項１又は２記載の防犯警報装置に於いて、
前記記憶部に同種で信号パターンの異なる複数の忌避音を記憶し、
前記制御部は、所定の順番又はランダムに前記複数の忌避音を前記記憶部から読み出して繰り返し出力させることを特徴とする防犯警報装置。
【請求項８】
請求項１又は２記載の防犯警報装置に於いて、
前記記憶部に種類の異なる複数の忌避音を予め記憶し、
前記制御部は、所定の順番又はランダムに前記複数の忌避音を前記記憶部から読み出して繰り返し出力させることを特徴とする防犯警報装置。
【請求項９】
請求項１又は２記載の防犯警報装置に於いて、
前記記憶部に種類の異なる複数の忌避音を予め記憶し、
前記制御部は、所定の選択操作により予め選択した忌避音を記憶部から読み出して繰り返し出力させることを特徴とする防犯警報装置。
【請求項１０】
請求項１記載の防犯警報装置に於いて、前記制御部は、所定の警報操作を行った場合に所定の大音量で警報音を出力させることを特徴とする防犯警報装置。
【発明の詳細な説明】
【技術分野】
【０００１】
本発明は、音響出力により不審者に対処する携帯型の防犯警報装置に関する。
【背景技術】
【０００２】
近年、女性、子供、高齢者などの弱者を狙った犯罪が社会的な問題となっており、特に女性が人気のない場所を通るようなときには、背後から人が近づいてきたような場合、たとえ不審者でなくとも強い不安に駆られるといった状況が日常的に生じている。
【０００３】
このような弱者を狙った犯罪を予防するための商品として防犯ブザーがある。防犯ブザーは、緊急時に紐や釦を操作すると、大音量の警報音を発し、不審者に対し威嚇すると共に、周辺にいる人たちに緊急事態が発生したことを知らせるようにしている。
【０００４】
また防犯ブザーにあっては、不審者に襲われたときや襲われそうになったときに、防犯ブザーの紐や釦を操作することになるが、このような場面に実際に遭遇した場合、とっさに防犯ブザーを操作できないことも想定されることから、特別な操作を必要とせず、周囲音の電圧レベルが所定レベル以上である場合に、警報音を鳴動させるようにした装置も提案されている。
【先行技術文献】
【特許文献】
【０００５】
【特許文献１】特開２００４−１３９３３６号公報
【発明の概要】
【発明が解決しようとする課題】
【０００６】
しかしながら、従来の防犯ブザーにあっては、不審者に襲われたときや襲われそうになったときに、防犯ブザーの紐や釦を操作したり、周囲音のレベル検出により警報音を出力することになるが、このような場面に実際に遭遇した場合、とっさに防犯ブザーを操作できなかったり、不審者が静かに近寄ってきたような場合には周囲音のレベルが低すぎて自動的に動作しないことも想定される。
【０００７】
また背後から人が近づいてきた場合に、不審者であったとしてもその確信をもつことができず、襲われて初めて気付くことになり、事前に必要な予防措置をとることができにくい状況にある。
【０００８】
本発明は、背後などから近づいてくる不審者の注意力を別のものに向けさせてその行動を抑止可能とする携帯型の防犯警報装置を提供することを目的とする。
【課題を解決するための手段】
【０００９】
（防犯警報装置）
本発明は、携帯型の防犯警報装置に於いて、
所定の忌避音を予め記憶した記憶部と、
所定の警戒設定操作を検知した場合に、記憶部から読出した忌避音を繰り返し出力させる制御部と、
を備えたことを特徴とする。
【００１０】
（携帯電話機を利用した防犯警報装置）
本発明は、携帯電話機を用いた防犯警報装置に於いて、
所定の忌避音を予め記憶した記憶部と、
所定の警戒設定操作を行った場合、記憶部から読出した忌避音を繰り返し出力させる制御部と、
を備えたことを特徴とする。
【００１１】
（忌避音の間欠出力）
制御部は、記憶部から読み出した忌避音を、所定の休止時間を置いて繰り返し出力させる。
【００１２】
（再生音量と休止時間のランダム化）
制御部は、忌避音の再生音量及び休止時間をランダムに変化させながら、忌避音を繰り返し出力させる。
【００１３】
（忌避音の詳細）
記憶部に忌避音として、時間的に強さが変化する昆虫の羽音又は鳥の羽音の忌避音を記憶する。昆虫の羽音として蚊又は蜂の羽音の忌避音を記憶する。
【００１４】
（異なるパターンの忌避音）
記憶部に同種で信号パターンの異なる複数の忌避音を記憶し、制御部は、所定の順番又はランダムに複数の忌避音を記憶部から読み出して繰り返し出力させる。
【００１５】
（異なる種類の忌避音）
記憶部に種類の異なる複数の忌避音を予め記憶し、制御部は、所定の順番又はランダムに複数の忌避音を記憶部から読み出して繰り返し出力させる。
【００１６】
（異なる種類の忌避音）
記憶部に種類の異なる複数の忌避音を予め記憶し、
制御部は、所定の選択操作により予め選択した忌避音を記憶部から読み出して繰り返し出力させる。
【００１７】
（警報ブザー機能）
制御部は、更に、所定の警報操作を検知した場合に所定の大音量で警報音を出力させる。
【発明の効果】
【００１８】
（基本的な効果）
本発明の携帯アラーム装置は、所定の警戒設定操作を検知した場合に、記憶部に予め記憶された昆虫の羽音、特に蚊又は蜂の羽音又は鳥の羽音といった所定の忌避音を読み出して繰り返し出力するようにしたため、夜間に人気の少ない静かな場所を通っているときに、背後から不審者が近づいてきた場合、近づいてきた不審者は忌避音として出力されている例えば蚊の羽音を聞くことで、自分の近くに蚊がいると思って注意が奪われ、襲おうとしていたタイミングを失うなどして、行動を諦めるといった予防効果が期待できる。
【００１９】
（忌避音の間欠出力）
また、一度、警戒設定操作を行って装置を動作状態とすれば、記憶部から読み出した忌避音を、所定の休止時間を置いて繰り返し出力させることで、従来の防犯ブザーのような襲われたときに操作して警報するといった使い方ではなく、例えば夜間に歩いて帰宅している間、常に忌避音を繰り返し出力し続けることで、不審者の行動を抑制する効果が期待できる。
【００２０】
（再生音量と休止時間のランダム化）
また、忌避音の再生音量及び休止時間をランダムに変化させながら、忌避音を繰り返し出力させるため、例えば忌避音として蚊の羽音を出す場合に、自然な感じで蚊の羽音が聞こえるようにし、近づいてくる不審者の注意を確実に逸らすことを可能とする。
【００２１】
（異なる信号パターンの忌避音による効果）
また、記憶部に同種で信号パターンの異なる複数の忌避音を記憶し、制御部は、所定の順番又はランダムに複数の忌避音を記憶部から読み出して繰り返し出力させるようにしたため、例えば異なる信号パターンの蚊の羽音が忌避音として出力することで、蚊の様々な動きを表現して自然な感じを出し、近づいてくる不審者の注意を確実に逸らすことを可能とする。
【００２２】
（異なる種類の忌避音による効果）
また、記憶部に種類の異なる複数の忌避音を予め記憶し、所定の順番又はランダムに種類の異なる複数の忌避音を記憶部から読み出して繰り返し出力させるようにしたため、例えば蚊の羽音と蜂の羽音を、順番又はランダムに出力することで、近づいてくる不審者に強い忌避感を与えて注意を確実に逸らすことを可能とする。
【００２３】
（忌避音の選択）
また、異なる種類の複数の忌避音を記憶部に記憶し、所定の選択操作に基づき予め選択した忌避音を記憶部から読み出して繰り返し出力させるようにしたため、例えば昼間であれば、鳥の羽音や蜂の羽音を選択して出力し、また夕方や夜間には蚊の羽音を選択して出力するといった時と場所に応じて適切な忌避音を出すことを可能とする。
【００２４】
（警報ブザー機能）
また、所定の警報操作を検知した場合に所定の大音量で警報音を出力させるようにしたため、忌避音を出力していたにも係らず、万一、襲われたり襲われそうになった場合には、警報操作により大音量の警報音を、従来の防犯ブザーと同様に出力し、不審者の行動に対し万全を期すことを可能とする。
【図面の簡単な説明】
【００２５】
【図１】本発明による防犯警報装置の外観を示した説明図
【図２】防犯警報装置の機能構成の概略を示したブロック図
【図３】本実施形態により出力する蚊の羽音の信号パターンを示した信号波形図
【図４】本実施形態で忌避音の音量と休止時間をランダムに変化させる制御を示したタイムチャート
【図５】本発明の防犯警報装置の機能を携帯電話機を使用して実現する実施形態を示したブロック図
【発明を実施するための形態】
【００２６】
［防犯警報装置の外観］
図１は本発明による携帯型の防犯警報装置の外観を示した説明図である。図１において、防犯警報装置１０は、本体１２の表側に、音響孔１６、表示部１８、警報スイッチ２０を設け、本体１２の側面に警戒設定スイッチ１４を設け、本体１２の上部にストラップ取付部２２を設けている。
【００２７】
警戒設定スイッチ１４は、図示のオフ位置から上方のオン位置にスライドする警戒設定操作を行った場合に、予め記憶している所定の忌避音、例えば蚊の羽音を読出して繰り返し出力する動作を行わせる。
【００２８】
表示部１８は例えばＬＥＤを使用しており、警戒設定スイッチ１４の警戒設定操作により忌避音の出力を開始すると点灯又は点滅して動作状態を表示する。警報スイッチ２０は例えば押釦スイッチであり、釦の押込みにより警報操作を行うと、所定の大音量、例えば８５ｄＢ以上の音量で所定の警報音を出力させて、防犯ブザーとしての機能を実現させる。
【００２９】
音響孔１６は、この内部にスピーカを内蔵し、忌避音や警報音を出力できるようにしている。ストラップ取付部２２は、ストラップ（紐）取付けて利用者のバッグ等に吊り下げ可能としている。
【００３０】
［防犯警報装置の機能構成］
図２は、本発明による防犯警報装置１０の機能構成の概略を示したブロック図である。図２において、防犯警報装置１０は、制御部２４、警戒設定スイッチ１４、表示部１８、警報スイッチ２０、記憶部２６、再生部２８及びスピーカ３０を備え、図示しない電池電源により動作する。
【００３１】
制御部２４は、例えばプログラムの実行により実現される機能である。ハードウェアとしてはＣＰＵ、メモリ、各種の入出力ポート等を備えたコンピュータ回路等を使用する。なお、記憶部３０はハードウェアとして設けたメモリの一部の機能で実現されている。
【００３２】
記憶部２６は、所定の忌避音を予め記憶している。記憶部２６に記憶する忌避音として本実施形態にあっては、人が聞いた場合に強い忌避感を起こす例えば蚊の羽音を記憶している。記憶部２６に忌避音として記憶する蚊の羽音は、例えば図３に示すように、３種類の異なった信号パターンＡ，Ｂ，Ｃを準備して記憶している。
【００３３】
図３は記憶部２６からの読み出しに基づき１フレーズ時間Ｔ０で再生する１フレーズの蚊羽音の信号パターンＡ〜Ｃを示している。蚊の羽音は、３００Ｈｚ〜６００Ｈｚ程度の範囲で変化することが知られており、人が蚊の羽音を聞くと、蚊にさされないために無意識に追い払おうとする行動をとる。また、蚊は羽音が聞こえても、その姿を捉えることがほとんどできず、刺されるとアレルギー反応により強いかゆみを起こすことから、ほとんどの人が強い忌避感をもつ。
【００３４】
信号パターンＡは、蚊が近づいてくることで羽音が増加し、近くに来た後に、遠のいていくことで羽音が減少してゆく様子を表している。また、信号パターンＢは、蚊が近づいてきては羽音が最大となった後に突然停止し、これにより蚊が人に止まった様子を表しており、その後に蚊が離れたり止まったりする様子を表している。更に、信号パターンＣは、蚊が一度近づいて来た後に一度遠のき、再び近づいて来て遠のく様子を表している。
【００３５】
このような蚊の羽音の信号パターンＡ〜Ｃの１フレーズ時間Ｔ０は、例えばＴ０＝５〜１０秒程度の範囲の一定時間に設定する。
【００３６】
また信号パターンＡ〜Ｃの波形は、実際の蚊に小型マイクを近づけて収録した信号パターンを使用してもよいし、シンセサイザなどを利用して擬似的に作成した信号パターンを使用してもよい。
【００３７】
また蚊の羽音の信号パターンＡ〜Ｃの記憶部２６に対する記憶は、それぞれのアナログ信号をＡＤ変換によりデジタル信号に変換して記憶する。
【００３８】
再び図２を参照すると、再生部２８は、利得を制御可能な音声増幅器を備え、制御部２４により記憶部２６から読み出してアナログ信号に変換した忌避音信号Ｅ１を、利得制御信号Ｅ２により設定した利得に基づいて増幅し、スピーカ３０に出力して再生させる。
【００３９】
再生部２８からの忌避音信号によりスピーカ３０から再生する例えば蚊の羽音の音量は、防犯警報装置１０を携帯している利用者に近づいた場合に聞こえる音量とすれば良く、音量をあまり大きくすることは蚊の羽音として不自然であることから、例えば２〜３メートル程度の範囲に近づいた場合に聞き取ることのできる程度の音量とする。
【００４０】
また再生部２８の利得は、警報スイッチ２０による警報操作を制御部２４で検知した場合には、例えば８５ｄＢ以上の大音量となるように利得が制御される。
【００４１】
制御部２４は、防犯警戒制御と防犯警報制御を行う。
【００４２】
（防犯警戒制御）
制御部２４は、警戒設定スイッチ１４のオン操作による警戒設定操作の受付けを検知した場合、記憶部２６に予め記憶している例えば図３に示した蚊の羽音の信号パターンＡ〜Ｃを順次読出し、読出した信号パターンに基づき１フレーズの羽音を出力した後に、所定の休止時間を空けて次の１フレーズの羽音を再生して出力する防犯警戒制御を行う。
【００４３】
この場合、制御部２４は、忌避音となる蚊羽音の再生音量及び休止時間をランダムに変化させながら繰り返し出力させる制御を行う。
【００４４】
図４は、制御部２４により行う再生音量と休止時間をランダムに変化させて行う防犯警戒制御を示したタイムチャートであり、図４（Ａ）に再生音量を示し、図４（Ｂ）に再生と休止を示している。
【００４５】
制御部２４は、図４（Ａ）に示すように、再生音量を例えば大、中、小の３段階に変化するように再生部２８の利得を制御しており、再生音量を変化させる順番は、例えば、図示の「大・中・小・中・中」というようにランダムに変化させ、このランダムパターンを繰り返すようにしている。なお、制御部２４は、所定の順番に従って再生音量を変化させ、これを繰り返すようにしても良い。
【００４６】
また、制御部２４は、記憶部２６に記憶した図３の信号パターンＡ〜Ｃを読み出す順番として、図４（Ｂ）に示すように、例えば「Ａ・Ｂ・Ｃ・Ｂ・Ａ」というようにランダムに変化させ、このランダムパターンを繰り返すように制御している。なお、制御部２４は、パターンＡ〜Ｃの順に変化させ、これを繰り返すように制御しても良い。
【００４７】
また、制御部２４は、信号パターンＡ〜Ｃをランダムに再生する場合の休止時間を、図４（Ｂ）の休止時間Ｔ１〜Ｔ４に示すように、異なった休止時間としてランダムに変化させ、これを繰り返すように制御している。なお、制御部２４は、休止時間を変化させず、所定の休止時間に制御しても良い。
【００４８】
このように忌避音として再生する蚊の羽音の音量と信号パターンをランダムに変化させることで、蚊の羽音として可能な限り自然な感じを出すようにし、不審者が近づいてきた場合、蚊が近くにいると錯覚させて、その注意力を確実に逸らし、襲おうとするタイミングや気力を失わせるようにする。
【００４９】
（防犯警報制御）
制御部２４は、警報スイッチ２０による防犯警報操作の受付けを検知した場合、記憶部２６に予め記憶している防犯警報音を読出し、再生部２８の利得を対応する所定利得に制御し、スピーカ３０から８５ｄＢ以上の大音量で防犯警報音を出力させる制御を行う。
【００５０】
この防犯警報制御は、蚊の羽音などの忌避音を繰り返し出力しているにも係らず、不審者の行動が抑制されずに、襲おうとするか襲ってきた場合、従来の防犯ブザーと同様に、例えば押釦操作により大音量の防犯警報音を出力して、不審者に対する威嚇と、周辺の人へ異常発生を知らせるようにする。
【００５１】
（防犯警報装置の動作）
本実施形態による防犯警報装置１０の動作は次のようになる。
【００５２】
本実施形態の防犯警報装置１０は、利用者となる例えば女性が自分のバッグなどにストラップ紐を使用して装着することで、常に携帯するようにしている。
【００５３】
防犯警報装置１０を携帯した女性利用者が例えば夜間に帰宅する場合、人通りがほとんどない場所にさしかかり、もし、自分の後ろから人がくるような場合には、防犯警報装置１０の警戒設定スイッチ１４をオン操作し、忌避音として例えば蚊の羽音をランダムな休止期間をおいて異なるパターンで出力させる。
【００５４】
このように女性利用者が携帯している防犯警報装置１０から忌避音として蚊の羽音を繰り返し出力している状態で、不審者が女性利用者に近づいてくると、例えば２〜３メートル程度の範囲に近づいた場合に、蚊の羽音を聞くこととなり、蚊を追い払おうとして注意力が奪われ、襲おうとしたタイミングや意欲を失わせることを可能とする。
【００５５】
また、防犯警報装置１０から忌避音として蚊の羽音を繰り返し出していても、一度は行動をためらった不審者が襲おうとしたり、襲い掛かってきた場合には、防犯警報装置１０の警報スイッチ２０を操作することで、防犯警報を大音量で出し、不審者を威嚇すると共に、周辺にいる人に非常事態の発生を知らせることができる。
【００５６】
［携帯電話機による防犯警報装置機能］
図５は、本発明の防犯警報装置の機能を携帯電話機を使用して実現する実施形態を示したブロック図であり、個人用の携帯コンピュータの機能を併せもつ携帯電話機として知られたスマートフォンを例にとっている。
【００５７】
図５において、携帯電話機３２は、制御部３４、携帯電話通信部３６、高速移動通信部３８、無線ＬＡＮ通信部４０、ＧＰＳ通信部（全地球測位システム通信部）４２、カメラ部４４、ＳＩＭカード４６、ディスプレイ４８、タッチパネル５０、音声入力部５２、音声出力部５４、ＵＳＢ端子部５６、操作部５８及びメモリカード６０を備える。
【００５８】
制御部３４は、アプリケーションプロセッサを構成するＣＰＵ、メモリ、各種入出力インタフェースを備えたＬＳＩで実現され、アプリケーションとしてインストールされた汎用プログラムを実行し、この汎用プログラムの中に、本発明による位置捜索制御用のプログラムも含まれる。
【００５９】
携帯電話通信部３６は、第３世代移動通信システム（３Ｇ）として知られたＷ−ＣＤＭＡにより携帯電話通信を行う。
【００６０】
高速移動通信部３８は、ＩＥＥＥ８０２．１６ｅに準拠したモバイルＷｉＭＡＸ（Ｒ）によるモバイル高速移動通信を行う。無線ＬＡＮ通信部１８は、イーサネット（Ｒ）による無線ネットワークをベースにしたＩＥＥＥ８０２．１１に準拠した無線通信を行う。
【００６１】
ＧＰＳ通信部４２は、米国が運用する周回衛星を使用した全地球測位システム（Ｇｌｏｂａｌ  Ｐｏｓｉｔｉｏｎｉｎｇ  Ｓｙｓｔｅｍ）を利用して、現在位置の経度と緯度を取得するための通信を行う。
【００６２】
カメラ部４４は、ＣＭＯＳ撮像素子を使用して画像の撮像を行い、静止画及び動画を取得する。
【００６３】
ＳＩＭカード４６は、携帯電話番号を識別するための番号であるＩＭＳＩ（Iｎｔｅｒｎａｔｉｏｎａｌ  Ｍｏｂｉｌｅ  Ｓｕｂｓｃｒｉｂｅｒ  Iｄｅｎｔｉｔｙ）番号を格納したカードであり、ＳＩＭカード２４の差し替えにより、複数の携帯電話機で同じ携帯電話番号を利用可能とする。
【００６４】
ディスプレイ４８は、液晶パネルや有機ＥＬパネルなどの表示デバイスを使用し、パネル表面にはタッチパネル５０を配置している。
【００６５】
音声入力部５２は、マイクを備え、オーディオコーデック（Ａｕｄｉｏ ＣＯＤＥＣ）により音声入力を行う。音声出力部５４は、利得制御可能な音声増幅器、スピーカを備え、オーディオコーデック（Ａｕｄｉｏ ＣＯＤＥＣ）により音声出力を行う。
【００６６】
ＵＳＢ端子部５６は、適宜の周辺機器を接続するデジタル・インタフェースのコネクタを接続する。操作部５８は、キーパッドや操作釦による利用者の操作を受け付けて制御部３４に通知する。メモリカード６０は、着脱自在な外部メモリであり、カメラ部４４で撮像した画像等の各種データの外部記憶に使用する。
【００６７】
このようなスマートフォン３２において、本発明の防犯警報装置としての機能実現するため、制御部３４、操作部５８、メモリカード６０、音声出力部５４を利用する。
【００６８】
制御部３３内のメモリ又はメモリカード２６は、人が聞いた場合に強い忌避感を起こす例えば蚊の羽音を記憶し、例えば図３に示すように、３種類の異なった信号パターンＡ，Ｂ，Ｃを準備して記憶している。
【００６９】
制御部３４は、操作部５８による警戒設定操作の受付けを検知した場合、制御部３３内のメモリ又はメモリカード６０に予め記憶している例えば図３に示した蚊の羽音の信号パターンＡ〜Ｃを順次読出し、読出した信号パターンに基づき音声出力部５４から１フレーズの羽音を出力した後に、所定の休止時間を空けて次の１フレーズの羽音を再生して出力する防犯警戒制御を行う。この防犯警戒制御の詳細は、図２の実施形態における制御部２４の場合と同様であることから、その説明は省略する。
【００７０】
制御部３４の防犯警報装置としての機能は、利用者が本発明による防犯警報装置の機能の利用契約などに基づき、防犯警報装置のアプリケーションプログラムとして実装される。特に、制御部３３内のメモリ又はメモリカードに記憶する忌避音としては、蚊や蜂の羽音、鳥の羽音を含む多種多様な忌避音を準備して記憶しておくことが可能となり、利用者が選択して利用できる忌避音の範囲を拡大し、また、必要に応じて簡単に選んで利用することを可能とする。
【００７１】
［本発明の変形例］
上記の実施形態は、忌避音として蚊の羽音を出力するようにしているが、これ以外の昆虫の羽音として、強い忌避感を起こさせる蜂の羽音などであっても良い。また蚊や蜂の羽音以外に、鳥の羽音も忌避音として使用することができる。勿論、昆虫や鳥の羽音以外に、人に強い忌避感を起こさせる音であれば、適宜の忌避音を使用することができる。
【００７２】
また、上記の実施形態は、忌避音として例えば蚊の羽音といった１種類の忌避音を繰り返し出力しているが、蚊、蜂、鳥の羽音といった種類の異なる忌避音を予め記憶部に記憶し、制御部で警戒設定操作の受付けを検知した場合、種類の異なる忌避音を、ランダム又は所定の順番で読み出して再生したり、利用者の選択操作に基づいて、種類の異なる複数の忌避音の中の１つを選択して出力するようにしても良い。
【００７３】
また、防犯警報装置は電池駆動であることから、電池が消耗して電池電圧が所定電圧以下に低下したことを検知し、電池交換を促す警報を出すようにしても良い。
【００７４】
また、防犯警報装置を通勤帰宅などで毎回使用する場合には、電池消耗が大きくなることから、充電可能な２次電池とその充電回路を設け、充電器を使用して充電可能としても良い。この点は、携帯電話機を利用した場合には、携帯電話機が本来備えている機能であることから、不要である。
【００７５】
また、本発明は上記の実施形態に限定されず、その目的と利点を損なうことのない適宜の変形を含み、更に上記の実施形態に示した数値による限定は受けない。
【符号の説明】
【００７６】
１０：防犯警報装置
１２：本体
１４：警戒設定スイッチ
１６：音響孔
１８：表示部
２０：警報スイッチ
２２：ストラップ取付部
２４：制御部
２６：記憶部
２８：再生部
３０：スピーカ
３２：スマートフォン
【図１】
2014102777.tif 000003
【図２】
2014102777.tif 000004
【図３】
2014102777.tif 000005
【図４】
2014102777.tif 000006
【図５】
2014102777.tif 000007